【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
フォトアンプ回路において、
光信号と該信号回路への給電線路上の雑音信号を受信して、前記光信号と前記雑音信号から出力信号を生成するよう結合された信号回路であって、インダクタンスと寄生容量を含む第１の機械的信号源を含む信号回路と、
前記雑音信号を受信し、前記雑音信号から基準信号を生成するよう結合された基準回路であって、インダクタンスと寄生容量を含む第２の機械的信号源を含む基準回路
を備え、
前記第１と第２の機械的信号源が互いに整合することからなる、フォトアンプ回路。
【請求項２】
前記信号回路と前記基準回路に結合され、前記出力信号と前記基準信号を受信して差動信号を出力する対称形増幅器回路であって、前記差動信号から前記雑音信号を同相除去するよう接続された対称形増幅器回路をさらに備える、請求項１のフォトアンプ回路。
【請求項３】
前記信号回路が能動光検出器を備え、前記基準回路が基準光検出器を備える、請求項２のフォトアンプ回路。
【請求項４】
前記第１の光検出器は第１のフォトダイオードであり、前記第２の光検出器は第２のフォトダイオードであり、前記第１のフォトダイオードと前記第２のフォトダイオードは電気的に類似することからなる、請求項３のフォトアンプ回路。
【請求項５】
半導体材料から形成された基板をさらに備え、前記第１及び第２のフォトダイオードが前記基板内に製作される、請求項４のフォトアンプ回路。
【請求項６】
前記信号回路は、前記出力信号の処理のために前記第１の光検出器と前記対称形増幅器回路の間に結合された第１の信号路を備え、
該第１の信号路が、インダクタンスと寄生容量を含む前記第１の機械的信号源を含むことからなる、請求項３のフォトアンプ回路。
【請求項７】
前記基準回路は、前記基準信号の処理のために前記第２の光検出器と前記対称形増幅器回路の間に結合された第２の信号路を備え、
該第２の信号路が、インダクタンスと寄生容量を含む前記第２の機械的信号源を含むことからなる、請求項６のフォトアンプ回路。
【請求項８】
前記第１及び第２の機械的信号源は、前記光検出器と前記対称形増幅器回路の間の結合線を有し、前記第１の信号路内の前記結合線の長さが前記第２の信号路内の前記結合線の長さに一致する、請求項７のフォトアンプ回路。
【請求項９】
前記出力信号は第１の電流であり、前記基準信号は第２の電流であり、
前記対称形増幅器回路は、
前記第１の電流を受け、該第１の電流を第１の電圧へ変換するよう接続された第１のトランスインピーダンスアンプと、
前記第２の電流を受け、該第２の電流を第２の電圧へ変換するよう接続された第２のトランスインピーダンスアンプ
とを備えることからなる、請求項２のフォトアンプ回路。
【請求項１０】
前記第１の電圧が前記光信号を表わす第１の電圧成分と前記雑音信号を表わす第２の電圧成分を有し、前記第２の電圧は前記第２の電圧成分にほぼ等しく、
前記対称形増幅器回路が、前記第１の電圧と前記第２の電圧を受け、前記第２の電圧成分を同相除去し、かつ、前記第１の電圧成分を増幅するよう接続された差動増幅器回路をさらに備えることからなる、請求項９のフォトアンプ回路。
【請求項１１】
前記光信号はギガビット／秒の範囲内にある、請求項１のフォトアンプ回路。
【請求項１２】
光信号を受信し、該光信号の強度を示す電気信号を生成する光受信器において、
前記光信号と雑音信号を受信し、前記光信号と前記雑音信号から第１の電気信号を生成するよう接続された第１の信号路であって、インダクタンスと寄生容量を含む第１の機械的信号源を含む第１の信号路と、
前記雑音信号を受信し、前記雑音信号から第２の電気信号を生成するように接続された第２の信号路であって、インダクタンスと寄生容量を含む第２の機械的信号源を含み、前記第１と第２の機械的信号源が互いに整合することからなる、第２の信号路と、
前記第１の電気信号及び前記第２の電気信号を受信し、第３の電気信号を出力するよう結合された差動増幅器回路であって、該第３の電気信号から前記雑音信号を同相除去するよう接続された差動増幅器回路
を備える、光受信器。
【請求項１３】
前記第１の信号路が、
前記光信号と前記雑音信号を受信し、前記光信号と前記雑音信号から第１の電流を生成するように接続された能動光検出器と、
前記第１の電流を受け、前記第１の電流を前記第１の電気信号に変換するように接続された第１のトランスインピーダンスアンプであって、前記第１の電気信号が第１の電圧である、第１のトランスインピーダンスアンプ
とを備えることからなる、請求項１２の光受信器。
【請求項１４】
前記第２の信号路が、
前記雑音信号を受信し、前記雑音信号から第２の電流を生成するよう接続された基準光検出器と、
前記第２の電流を受け、前記第２の電流を前記第２の電気信号に変換するように接続された第２のトランスインピーダンスアンプであって、前記第２の電気信号が第２の電圧である、第２のトランスインピーダンスアンプ
とを備えることからなる、請求項１３の光受信器。
【請求項１５】
前記第１の電圧が前記光信号を表わす第１の電圧成分と前記雑音信号を表わす第２の電圧成分を有し、前記第２の電圧は前記第２の電圧成分にほぼ等しく、
前記差動増幅器回路が、前記第２の電圧成分を同相除去し、かつ、前記第１の電圧成分を増幅するよう接続されることからなる、請求項１４の光受信器。
【請求項１６】
前記第１の光検出器は第１のフォトダイオードであり、前記第２の光検出器は第２のフォトダイオードであり、前記第１のフォトダイオードと前記第２のフォトダイオードは電気的に類似することからなる、請求項１４の光受信器。
【請求項１７】
半導体材料から形成された基板をさらに備え、前記第１及び第２のフォトダイオードが前記基板内に製作される、請求項１６の光受信器。
【請求項１８】
前記光信号はギガビット／秒の範囲内にある、請求項１２の光受信器。
【請求項１９】
光信号の強度を表わす電気信号の生成方法であって、
第１の信号路と第２の信号路に沿うインダクタンスと寄生容量を含む機械的信号源を整合させるステップと、
前記光信号と雑音信号を受信するステップと、
前記光信号と前記雑音信号から前記第１の信号路上に第１の電気信号を生成するステップと、
前記雑音信号から前記第２の信号路上に第２の電気信号を生成するステップと、
前記第１の電気信号と前記第２の電気信号を差動増幅器回路へ提供して、前記第１の電気信号から前記雑音信号を同相除去するステップ
を含む、方法。
【請求項２０】
前記第１の電気信号を生成する前記ステップが、
前記光信号と前記雑音信号から第１の電流を生成するステップと、
前記第１の電流を第１の電圧に変換するステップ
をさらに含むことからなる、請求項１９の方法。
【請求項２１】
前記第２の電気信号を生成する前記ステップが、
前記雑音信号から第２の電流を生成するステップと、
前記第２の電流を前記第２の電気信号に変換するステップであって、前記第２の電気信号は第２の電圧である、ステップ
をさらに含むことからなる、請求項２０の方法。
【請求項２２】
前記受信するステップが、
前記光信号と前記雑音信号を受信するように能動フォトダイオードを構成するステップと、
前記雑音信号を受信するように基準フォトダイオードを構成するステップであって、前記第１のフォトダイオードと前記第２のフォトダイオードが電気的に類似する、ステップ
をさらに含むことからなる、請求項２１の方法。
【請求項２３】
前記光信号はギガビット／秒の範囲内にある、請求項１９の方法。